(57)【特許請求の範囲】
【請求項１】
ＮＣＵを接続可能な通信端子とガス漏れ警報器を接続可能な警報端子の他に、不完全燃焼警報器及び発信器付自動切替調整器を接続可能な外部端子を備え、各端子に接続可能な機器を特定するための設定がマイクロコンピュータになされており、マイクロコンピュータで各端子から入力される信号を処理するマイコン式ガスメーターの外部機器接続構造において、
外部端子は、１つのみ設けられており、外部端子に接続可能な機器を特定するマイクロコンピュータの設定を、不完全燃焼警報器と発信器付自動切替調整器のいずれにも設定変更可能としてあることを特徴とするマイコン式ガスメーターの外部機器接続構造。
【請求項２】
ガス使用量を表示する表示器に、外部端子に接続可能な外部機器が不完全燃焼警報器と発信器付自動切替調整器のいずれに設定されているかを表示することを特徴とする請求項１に記載のマイコン式ガスメーターの外部機器接続構造。
【発明の詳細な説明】
【技術分野】
【０００１】
本発明は、マイコン式ガスメーターに外部機器を接続するための構造に関する。
【背景技術】
【０００２】
従来のマイコン式ガスメーターは、ＮＣＵ（信号伝送装置）を接続する通信端子、ガス漏れ警報器を接続する警報器端子の他に、外部機器を接続するための端子、いわゆる外部端子が必ず２つ設けられていた（特許文献１）。
【０００３】
外部端子のうちの１つは、遮断弁を駆動させる条件を検知する検知器を接続するためのものである。具体的には、不完全燃焼警報器（ＣＯ警報器や、別のガス漏れ警報器）を接続するための接続端子であり、この接続端子からの入力信号はマイクロコンピュータで処理されて遮断弁を自動的に閉鎖させるために用いられる。もう１つは、発信器付自動切替調整器の発信器の接続端子を接続するためのものである。この接続端子からの入力信号はマイクロコンピュータで処理されて通信端子に指定されたパターン信号を出力するために用いられる。
【０００４】
発信器付自動切替調整器は、ガスボンベを二つ使用する場合に用いられる。より詳しく言えば、ガス器具にガスを供給するために二つのガスボンベを利用することがある。この場合に、二つのガスボンベを発信器付自動切替調整器で繋いだ上で、自動切替調整器からガス器具にガスを供給可能なように配管することが行われる。一つのガスボンベは現時点での使用用で、もう一つは予備用である。最初は、使用用のガスボンベからガスが供給されているが、ガスの貯蔵量が減ってくると、自動切替調整器が予備用のガスボンベからもガスを供給するように機能する。このときに発信器から現在の状態信号が出力され、前記外部端子を経由してマイコン式ガスメーターに取り込まれる。そして、ガスボンベのガス貯蔵量が減っていることを示すパターン信号がマイコン式ガスメーターから出力され、前記通信端子からＮＣＵを経由して遠隔の集中監視センターに取り込まれる。集中監視センターでは、このパターン信号から、どの設置箇所のガスボンベを交換するべきかを把握できるようになっている。
【先行技術文献】
【特許文献】
【０００５】
【特許文献１】特開２０００−８１３４８号公報
【発明の概要】
【発明が解決しようとする課題】
【０００６】
このようにマイコン式ガスメーターには外部端子が必ず二つあり、各々の外部端子に接続される外部機器が特定されていた。
【０００７】
しかしながら、マイコン式ガスメーターの小型化を進めるにあたり、外部端子の数が問題になった。２つの外部端子は必ずしも使用されないものであるが、マイコン式ガスメーターの機能としては必要なものである。従って、いずれか一つの外部端子だけを残して、後の一つの外部端子をなくすということは、通常、考えられない。
【０００８】
本発明は、上記実情に基づいて創作されたもので、従来まで２つあった外部端子を１つにしながらも、いずれの外部機器をも使用できるようにすることを目的とする。
【課題を解決するための手段】
【０００９】
本発明は、ＮＣＵを接続可能な通信端子とガス漏れ警報器を接続可能な警報端子の他に、不完全燃焼警報器及び発信器付自動切替調整器を接続可能な外部端子を備え、各端子に接続可能な機器を特定するための設定がマイクロコンピュータになされており、マイクロコンピュータで各端子から入力される信号を処理するマイコン式ガスメーターの外部機器接続構造を前提とする。
【００１０】
そして、本発明において、外部端子は、１つのみ設けられており、外部端子に接続可能な機器を特定するマイクロコンピュータの設定を、不完全燃焼警報器と発信器付自動切替調整器のいずれにも設定変更可能としてあることを特徴とする。
【００１１】
外部端子に接続可能な外部機器が現在、不完全燃焼警報器なのか、発信器付自動切替調整器なのかを、マイコン式ガスメーターの表示器に表示する必然性は無い。しかし、外部機器を接続する場合には、その表示がなされていた方が、作業者にとっては望ましい。
即ち、ガス使用量を表示する表示器に、外部端子に接続可能な外部機器が不完全燃焼警報器と発信器付自動切替調整器のいずれに設定されているかを表示することが望ましい。
【発明の効果】
【００１２】
本発明によれば、従来まで２つ必要と考えられていた外部端子が１つですむようになったので、マイコン式ガスメーターを小型化することができる。
【００１３】
また、表示器に外部端子に接続可能な機器が表示されていれば、外部機器を接続する際の作業効率が向上する。
【図面の簡単な説明】
【００１４】
【図１】本発明のマイコン式ガスメーターを示す回路図である。
【図２】マイコン式ガスメーターの端子取付用の蓋を外した状態を示す正面図である。
【図３】（イ）（ロ）図は、接続可能な外部機器を表示器の表示状態として示す説明図である。
【図４】（イ）（ロ）図は、マイコン式ガスメーターの正面図、平面図である。
【発明を実施するための形態】
【００１５】
マイコン式ガスメーター１０は図４に示すように、筐体としてのガスメーター本体１１の外部にガス入口１２とガス出口１３を突出して設けてある。そして、ガス入口１２とガス出口１３を繋ぐガス流路がガスメーター本体１１の内部に形成されている。
【００１６】
また、ガスメーター本体１１の内部には図１に示すように各種の部品が収容されている。ガス流路を遮断する遮断弁２１、ガス流路内を進行する超音波を送受信する超音波センサ２２、ガス流路内の圧力を感知する圧力センサ２３、並びに遮断弁２１と超音波センサ２２と圧力センサ２３を接続するコントローラ３０が設けられている。
【００１７】
コントローラ３０は、予め設定されたプログラムを実行するマイクロコンピュータ３１を備えている。そして、マイクロコンピュータ３１に接続された表示器としてのＬＣＤ３２（液晶表示器）に各種の情報が表示される。また、マイクロコンピュータ３１にはインターフェイス回路３３を介在して、前述の超音波センサ２２、圧力センサ２３が接続されている。また、インターフェイス回路３３に遮断弁駆動用回路３４を介在して遮断弁２１が接続されている。更に、インターフェイス回路３３には、感震器３５、容器リセットスイッチ３６、テスト遮断スイッチ３７、遮断弁復帰スイッチ３８、電池３９が接続されている。
【００１８】
また、インターフェイス回路３３には通信端子４１、警報器端子４２、及び外部機器用の外部端子４３が１つずつ接続されている。これら端子は、＋側と−側が対になって設けられている。その他に、通信端子４１には、＋側と−側の他に、フレームグラウンドＦＧ、グラウンドＧの端子も接続されている。因みに、図４に示すようにガスメーター本体１１の前面下部には、カバー１４が着脱可能にネジ止めされている。このカバー１４を外すと、図２に示すように凹んだ端子収容空間１５が現れ、この端子収容空間１５にはこれらＮＣＵ用の通信端子４１、ガス漏れ警報器用の警報器端子４２、外部機器用の外部端子４３等が端子台１６の上に載って収容されている。端子台１６上の各端子に図示しないネジを使って、各機器の端子が接続される。
【００１９】
なお、端子台１６の下側には支持板１７が、さらに下側には底壁１８がそれぞれ間隔をあけて設けられている。これら支持板１７や底板には各端子用の貫通孔１７ａ、１８ａがあけられており、これら貫通孔１７ａ、１８ａに図示しない筒状のブッシュを嵌め込むようになっている。このブッシュ内に各機器の配線を通した上で各端子を接続することによって、端子収容空間１５への雨水等の侵入を防いである。
【００２０】
前記した各端子に接続可能な機器を特定するための設定がマイクロコンピュータ３１のメモリに保存されている。また、外部機器用の外部端子４３は、不完全燃焼警報器（ＣＯ警報器）及び発信器付自動切替調整器のいずれの端子に対しても接続可能なものである。そのために、マイクロコンピュータ３１が実行するプログラムの一部の設定を、外部端子４３に接続した外部機器に対応する設定に変更可能としてある。
具体的には、通信端子４１にＮＣＵではなく、図示しない設定器を接続し、作業者がこの設定器から外部端子４３で取り扱う入力信号を、外部端子４３に接続する外部機器から発せられる出力信号に対応する形式に変更するように、マイクロコンピュータ３１内のメモリに上書き保存して、設定変更する。
【００２１】
そして、外部端子４３が現在接続可能としている外部機器を、ＬＣＤ３２に表示し、作業者に把握させるようになっている。例えば、図３（イ）に示すように、現在の外部端子４３に対して、２つのうちの特定した１つの外部機器を接続可能な場合（外部端子４３を外部１として使用する場合）には、液晶表示部には専用の表示をせずに、図３（ロ）に示すように残りの１つの外部機器を接続可能な場合（外部端子４３を外部２として使用する場合）には、ＬＣＤに「外２」という専用の表示をする。
【００２２】
本発明は上記実施形態に限定されるものではない。例えば、外部端子４３に対して不完全燃焼警報器を接続可能な場合と、発信器付自動切替調整器を接続可能な場合とでＬＣＤ３２への表示を「外１」、「外２」のように明確に表示しても良い。
【符号の説明】
【００２３】
１０マイコン式ガスメーター
１１ガスメーター本体
１２ガス入口
１３ガス出口
１４カバー
１５端子収容空間
１６端子台
１７支持板
１７ａ貫通孔
１８底壁
１８ａ貫通孔
２１遮断弁
２２超音波センサ
２３圧力センサ
３０コントローラ
３１マイクロコンピュータ
３２ＬＣＤ
３３インターフェイス回路
３４遮断弁駆動用回路
３５感震器
３６容器リセットスイッチ
３７テスト遮断スイッチ
３８遮断弁復帰スイッチ
３９電池
４１通信端子
４２警報器端子
４３外部端子
ＦＧフレームグラウンド
Ｇグラウンド
【図１】
0005480853.tif 000002
【図２】
0005480853.tif 000003
【図３】
0005480853.tif 000004
【図４】
0005480853.tif 000005